(57)【要約】      （修正有）【課題】地面にしっかりと固定でき、かつ安全性に優れ、さらにはボールのショットの際にプレーヤーにＵ字金具の如き心理的重圧を与えずにプレーを楽しめる、グラウンド・ゴルフ競技用ホールポストを提供する。【解決手段】ホール本体２とポスト３からなり、ホール本体は、地面に設置される円環状の外側フレーム４、地面より上方に配置される内側フレーム５、ポストを支持する支持板６、支持板から放射状に延び前記フレーム５、４を連結する複数本の連結ステー７、支持板から吊下げられた鈴８とから構成され、ポストの上端部には旗９が保持され、各連結ステー７が、外側フレーム４の上面又は内周面に、同外側フレーム４の外周縁から外側にはみ出さない形で固着され、ホール本体を地面に固定する固定ピン１１がそれぞれ外側フレーム４の下面又は内周面に、同外側フレーム４の外周縁から外側にはみ出さない形で着脱可能に取り付けられている。【選択図】図１
0003145457.tif 000002
【実用新案登録請求の範囲】
【請求項１】
ホール本体とポストからなり、前記ホール本体は、地面に設置されるリング状の外側フレームと、地面より上方に配置される内側フレームと、ポストを支持する支持板と、支持板から放射状に延びて内側フレームおよび外側フレームを連結する複数本の連結ステーと、支持板から吊下げられた鈴とから構成され、前記ポストの上端部に旗が保持される、グラウンド・ゴルフ競技用ホールポストにおいて、
前記連結ステーが、それぞれ外側フレームの上面又は内周面に、同外側フレームの外周縁から外側にはみ出さない形で固着され、
ホール本体を地面に固定する複数の固定ピンが、それぞれ外側フレームの下面又は内周面に、同外側フレームの外周縁から外側にはみ出さない形で着脱可能に取り付けられていることを特徴とする、グラウンド・ゴルフ競技用ホールポスト。
【請求項２】
前記各固定ピンが、前記連結ステーの軸線上にそれぞれ配置されていることを特徴とする、請求項１記載のグラウンド・ゴルフ競技用ホールポスト。
【請求項３】
外側フレームの下面に地面に押し込み可能なナットが外側フレームの外周縁から外側にはみ出さない形で固着され、当該ナットに下から固定ピンの頭部が螺合により着脱可能に取り付けられていることを特徴とする、請求項１又は請求項２記載のグラウンド・ゴルフ競技用ホールポスト。
【請求項４】
旗の上部を水平保持する芯材の先端が、下向きにコ字状に折り曲げられ又は丸められていることを特徴とする、請求項１ないし請求項３のいずれか一項に記載のグラウンド・ゴルフ競技用ホールポスト。
【請求項５】
ポストが複数の筒状のポスト組み立て用ユニット部材からなり、最下段のユニット部材の側周面下部に水抜き孔が貫通して設けられていることを特徴とする、請求項１ないし請求項４のいずれか一項に記載のグラウンド・ゴルフ競技用ホールポスト。
【請求項６】
ポストが複数の筒状のポスト組み立て用ユニット部材からなり、各ユニット部材は、上段側のユニット部材の下端開口部に下段側のユニット部材の上端部を内挿する形で、上下に組み立てられることを特徴とする、請求項１ないし請求項４のいずれか一項に記載のグラウンド・ゴルフ競技用ホールポスト。
【考案の詳細な説明】
【技術分野】
【０００１】
本考案は、グラウンド・ゴルフ競技に用いられるホールポストに関するものである。
【背景技術】
【０００２】
グラウンド・ゴルフは、広場や運動場において、スタートマットの上に置いたボールをプレイヤーがホールポストに向けてショットし、ボールがホールポストのサークル内に静止する（これを「トマリ」という。）までの打数を競う競技であり、子供から高齢者まで手軽に楽しめるスポーツとして、広く全国に普及している。このグラウンド・ゴルフは、通常、内回りコース４個、外回りコース４個、合計８個のホールポストを設置してゲームが行なわれる。なお、日本グラウンド・ゴルフ協会が主催する公式の大会には、クラブ、ボール、ホールポスト、スタートマットの各用具に関して、協会認定品の使用が定められている。
【０００３】
従来のホールポストは、図１０に示すように、ホール本体２とポール３とから構成され、ホール本体２は、円環状の外側フレーム４が下方に、内側フレーム５が上方に配置され、内側フレーム５の中心には支持板６が固着されている。支持板６から内側フレーム４まで放射状に３つのプレートが延び、内側フレーム５の下面から外側フレーム５まで連結ステー７が延び、それらプレートおよび連結ステー７によって支持板６、内側フレーム５および外側フレーム４が連結されている。支持板６の下面には鈴８が吊り下げられ、支持板６の中央にはポール３が立設されている。
【０００４】
ポール３は、持ち運びに便利なように組み立て式の場合が多く、ポール３の上方にはホール番号を表示した旗９が取り付けられる。旗９は、表示したホール番号がプレーヤーによく見えるように、ポール３の上部に支持されて水平に屈曲する針金等の芯材１６によって上部が保持されている。
【０００５】
上記構造のホールポストを、競技場のホール上に設置する場合、風によって倒れる場合があるので、外側フレーム４に対し連結ステー７を跨ぐようにＵ字金具を打ち込み、地面Ｇに固定するようにしている。Ｕ字金具を用いる固定方法に対し、外側フレーム４に連結された３本の連結ステー７の下端に突き刺し刃を備えて、当該３箇所の突き刺し刃を地中に差し込んで固定する構造が提案されている（特許文献１参照）。
【特許文献１】実用新案登録第３１３９８５５号公報
【考案の開示】
【考案が解決しようとする課題】
【０００６】
しかしながら、前者の固定方法、すなわち、従来のＵ字金具は、外側フレーム４に対し連結ステー７を跨ぐように打ち込まれるため、外側フレーム７の内側あるいはその中心の鈴８に向けてショットしたボールの邪魔となる場合があり、ボールがＵ字金具に当たるとボールの角度が変わったり跳ね返されるおそれもあって、プレーヤーに対し心理的重圧を与える原因になっていた。また、特許文献１に示されたホールポストは、同号公報に図示されるように外側フレームの外側に跨ぐように連結ステーおよび突き刺し刃が取り付けられ、従来のＵ字金具と同様に、外側フレームの外側に飛び出る部分がボールの邪魔となり、プレーヤーに心理的重圧を与えてしまうものであった。
【０００７】
また、旗９は、保持用の針金等によって、表示したホール番号がプレーヤーによく見えるように保持されるが、この保持用の針金等によってホールポストの持ち運びの際に怪我を生じるおそれがあった。
【０００８】
さらに、ポール３は、持ち運びに便利なように組み立て式が多く、これらの場合には、各ユニット部材の接合部から内部に雨水が浸入して、ポール内部に水が溜まり、内部が腐食し、耐久性が落ちる問題もあった。
【０００９】
本考案は、前記課題に鑑みてなされたもので、地面にしっかりと固定でき、かつ安全性に優れ、さらにはボールのショットの際にプレーヤーにＵ字金具の如き心理的重圧を与えずにプレーを楽しめる、グラウンド・ゴルフ競技用ホールポストを提供することを目的とする。
【００１０】
また、本考案は、上記に加えて、雨水による内部腐食のおそれがなく耐久性に優れた、グラウンド・ゴルフ競技用ホールポストを提供することを目的とする。
【課題を解決するための手段】
【００１１】
前記課題を達成するために、本考案に係る請求項１のグラウンド・ゴルフ競技用ホールポストは、ホール本体とポストからなり、前記ホール本体は、地面に設置されるリング状の外側フレームと、地面より上方に配置される内側フレームと、ポストを支持する支持板と、支持板から放射状に延びて内側フレームおよび外側フレームを連結する複数本の連結ステーと、支持板から吊下げられた鈴とから構成され、前記ポストの上端部に旗が保持される、グラウンド・ゴルフ競技用ホールポストであって、
前記連結ステーを、それぞれ外側フレームの上面又は内周面に、同外側フレームの外周縁から外側にはみ出さない形で固着し、
ホール本体を地面に固定する複数の固定ピンを、それぞれ外側フレームの下面又は内周面に、同外側フレームの外周縁から外側にはみ出さない形で着脱可能に取り付けたことを特徴とする。
【００１２】
本考案の請求項１記載のグラウンド・ゴルフ競技用ホールポストによると、ホール本体を地面に固定する複数の固定ピンを、それぞれ外側フレームの下面又は内周面に、着脱可能に取り付けたから、ホールポストの使用時には各固定ピンを地中に押し込んでホールポストを地面にしっかりと固定することができる一方、ホールポストの片付け時にはホール本体から各固定ピンを取り外してホールポストを安全に持ち運ぶことができる。
【００１３】
また、各連結ステーを、外側フレームの外周縁から外側にはみ出さない形で同外側フレームの上面又は内周面に固着し、各固定ピンは、同じく外側フレームの外周縁から外側にはみ出さない形で、外側フレームの下面又は内周面に取り付けたから、各固定ピンを地中に押し込んでホールポストをコースに設置した状態では、各連結ステーが、外側フレームの外周縁から外側に飛び出さないから、プレイヤーがボールを外側フレーム内に向けてショットする際の心理的重圧をもたらすことがない。
【００１４】
本考案の請求項２に係るグラウンド・ゴルフ競技用ホールポストは、前記各固定ピンを、前記連結ステーの軸線上にそれぞれ配置したことを特徴とする。連結ステーを介して力を固定ピンに伝え易く、各固定ピンを地中にしっかりと押し込むことができる。
【００１５】
本考案の請求項３に係るグラウンド・ゴルフ競技用ホールポストは、外側フレームの下面に地中に押し込み可能なナットを、外側フレームの外周縁から外側にはみ出さない形で固着し、当該ナットに下から固定ピンの頭部を螺合により着脱可能に取り付けたことを特徴とする。
【００１６】
本考案の請求項３記載のホールポストによると、外側フレームの下面に固着したナットにより固定ピンの着脱を容易に行なえる。
【００１７】
本考案の請求項４に係るグラウンド・ゴルフ競技用ホールポストは、旗の上部を水平保持する芯材の先端を下向きにコ字状に折り曲げ又は丸めたことを特徴とする。
【００１８】
本考案の請求項４記載のホールポストによると、旗の上部を水平保持する芯材の先端を下向きにコ字状に折り曲げ又は丸めたから、競技前後の持ち運び時や競技中において、芯材の先端で怪我をするといったことがなくなり、安全性を高めることができる。
【００１９】
本考案の請求項５に係るグラウンド・ゴルフ競技用ホールポストは、ポストが複数の筒状のポスト組み立て用ユニット部材からなり、最下段のユニット部材の側周面下部に水抜き孔を貫通して設けたことを特徴とする。
【００２０】
本考案の請求項５記載のホールポストによると、水抜き孔を設けることによって、ユニット部材の接合部から内部に雨水が侵入した場合でも、内部の水を水抜き孔から外部に排出することができ、内部の腐食を防ぎ、耐久性を上げることができる。
【００２１】
本考案の請求項６に係るグラウンド・ゴルフ競技用ホールポストは、上段側のユニット部材の下端開口部に下段側のユニット部材の上端部を内挿する形で、上下に組み立てたことを特徴とする。
【００２２】
本考案の請求項６記載のホールポストによると、上段側のユニット部材の下端開口部に下段側のユニット部材の上端部を内挿する形で、上下に組み立てる構造とすることで、雨水の内部への侵入を防ぐことができ、水抜き孔を設けなくても、内部腐食を防止し、耐久性を上げることができる。
【考案の効果】
【００２３】
本考案のグラウンド・ゴルフ競技用ホールポストによると、固定ピンによりホールポストを地面にしっかりと固定し、また、持ち運びの際にはホールポストから固定ピンを外して持ち運びすることができるので、実用性および安全性がいずれも高く、さらに、競技の際には、外側フレームの外側に連結ステーが飛び出さない構造であるから、ボールを外側フレーム内に向けてショットする際のプレイヤーの心理的重圧をもたらさないという優れた効果を奏する。
【考案を実施するための最良の形態】
【００２４】
以下、図面を参照して、本考案に係るグラウンド・ゴルフ競技用ホールポストについて、一実施形態を説明する。図１ないし図５は本考案に係るホールポストの第１の実施形態を示すもので、図１はホールポストの全体斜視図である。同図において、符号１はホールポストを示す。
【００２５】
ホールポスト１は、スチール等の金属製からなり、ホール本体２と、ホール本体２によって支持されるポスト３とから構成されている。ホール本体２は、地面Ｇに設置される円環状の外側フレーム４（図示例では外径３６０ｍｍ）と、地面Ｇよりも上方に配置される円環状の内側フレーム５と、内側フレーム５の内側中央に位置してポスト３を支持する円形の支持板６と、同支持板６から放射状に延びて内側フレーム５と外側フレーム４とを等間隔で連結する３本の連結ステー７と、支持板６から吊下げられた鈴８とから構成されている。ポスト３の上端部には旗９が保持されている。
【００２６】
前記連結ステー７は、図１に示すように、その一端７ａが支持板６に溶接等で固着されるとともに、支持板６から水平に放射状に延びて内側フレーム５の下面に溶接等で接合された後、途中から下向きに屈曲して、図２および図３（Ａ）に示すように、その下端７ｂが外側フレーム４の上面に、同外側フレーム４の外周縁４ａから外側にはみ出さない形で、溶接等により固着されている。連結ステー７は、外側フレーム４および内側フレーム５とともに、例えば外径６ｍｍの鋼製丸棒が用いられている。
【００２７】
外側フレーム４の下面には、図３（Ａ）に示すように、各３本の連結ステー７の固着位置又はその極近くに、地中に押し込み可能なナット１０（図示例では高さ２０ｍｍ）が、外側フレーム４の外周縁４ａよりも外側にはみ出さない形で、溶接等により固着されている。各ナット１０には下向きに開口し、内周面に雌ねじが切られた孔１０ａ（図示例では口径６ｍｍ）が穿設されている。この孔１０ａには、図３（Ａ）（Ｂ）に示すように、ホール本体２を地面に固定するための固定ピン１１（図示例では長さ６０ｍｍ、外径６ｍｍ）の頭部１１ａが着脱可能に取り付けられている。この固定ピン１１の頭部１１ａには、ナット１０の雌めじに螺合する雄ねじが切られている。図示例の固定ピン１１は、ナット１０に取り付けられた状態で、外側フレーム４の下面から固定ピン１１の先端までの長さが約７０ｍｍとされている。
【００２８】
支持板６の中央には、図４に示すように、孔６ａが貫通し、孔６ａには、下側からボルト部材１２が上向きに挿入され、孔６ａから突出するボルト部材１２の先端部に対しナット１３が螺合されている。そして、ボルト部材１２の下を向く頭部に対し鈴８が揺動可能に吊下げられている。
【００２９】
ポスト３は、図４に示すように、複数（図示例では３つ）の筒状のポスト組み立て用ユニット部材１４・・・からなり、各ユニット部材１４・・・は、下段側のユニット部材１４の上端開口部１４ａに上段側のユニット部材１４の下端挿入部１４ｂを挿入する形で、上下に組み立てられている。また、最下段のユニット部材１４の側周面下部には、水抜き孔１５が貫通して設けられている。かかるポスト３は、最下段のユニット部材１４が、支持板６の上面に立設する状態で溶接等により固着されている。
【００３０】
最上段のユニット部材１４には、図１に示すように、旗９が取り付けられ保持される。旗９にはコース番号が表示されている。最上段のユニット部材１４には、旗９を水平保持するための針金等からなる芯材１６が、支持されている（なお、図では分かり易いように芯材１６が実際よりも太く描かれている）。この芯材１６は、最上段のユニット部材１４の上端開口部に嵌め込まれたキャップの上面孔に挿入されて支持される垂直支持部１６Ａと、垂直支持部１６Ａの上端から直角に屈曲する水平支持部１６Ｂとからなり、水平支持部１６Ｂが旗９の上部に縫いこまれ、旗９の上端部分を水平に支持するようになっている。水平支持部１６Ｂの先端１６Ｃは、図１および図５に示すように、下向きにコ字状に丸められている。これにより、水平支持部１６Ｂの先端が、旗９の先から飛び出すことがなく、ホールポストの解体・片付け時に、芯材１６の先端で怪我するといった危険がなくなる。なお芯材１６の先端はコ字状に折り曲げられていてもよい。
【００３１】
次に上記構成のホールポスト１について、その使用方法を説明する。
【００３２】
まず、ホールポスト１を旗９に表示されたコースに運ぶ。次に、コースの設置場所において、図３（Ｂ）に示すように、ホール本体２の外側フレーム４の下面の各ナット１０に固定ピン１１を取り付ける。最後に、図３（Ａ）に示すように、固定ピン１１をナット１０ごと地面Ｇの地中に押し込んでホールポスト１をしっかりと地面Ｇに固定する。３本の固定ピン１１でホールポスト１を地面Ｇにしっかりと固定するから、多少の風でホールポスト１が倒れたり、ボールが鈴８に当たってホールポスト１が倒れることはない。各固定ピン１１はコース上で取り付け、それ以外は外すようにしているから、ホールポスト１を運ぶ際に固定ピン１１で怪我をするといったことはない。
【００３３】
競技中、コース上のプレイヤーは、ホールポスト１の外側フレーム４内にあるいは鈴８を目がけてボールをショットする。このとき、ナット１０は固定ピン１１と共に地中に押し込まれ、また、外側フレーム４上の連結ステー７は外側フレーム４の外周縁４ａから外側にはみ出ないように取り付けられているので、連結ステー７が外側フレーム４からはみ出てボールの邪魔になるという心理的重圧をプレイヤーに与えることがない。プレイヤーは通常の心理状態でボールをショットすることができる。
【００３４】
競技終了後、コース上のホールポスト１を地面Ｇから持ち上げあるいはいったんホールポスト１からポール３を取り外して残りのホール本体２を地面Ｇから持ち上げ、その場で各固定ピン１１を取り外す。各固定ピン１１は手提げ袋等に入れて、残りのホールポスト１あるいはポール３、ホール本体２と共に、保管場所あるいは保管倉庫へ持ち運び、保管する。各固定ピン１１を外してからホールポスト１を持ち運ぶから、持ち運び時に固定ピン１１で怪我をすることがなく、ホールポスト１を安全にコースから撤去できる。
【００３５】
図６ないし図８は、本考案のホールポストの第２の実施形態を示すもので、同図に示すように、本実施形態では、３本の各連結ステー７’の下端部７ｂ’の外周に雄ねじを切って、ナット１０’のねじ孔に対し、上から途中まで螺合し、ナット１０’を外側フレーム４の内面に、溶接等により固着したものである。そして、ホールポスト１を設置するコース上において、各ナット１０’に対し下からねじ孔に固定ピン１１’の頭部１１ａ’を螺合させ、ホールポスト１を地面Ｇに固定するようになっている。図示例のホールポストにおいても、固定ピン１１’は、ナット１０’に取り付けられた状態で、外側フレーム４の下面から固定ピン１１’の先端までの長さが約７０ｍｍとされている。
【００３６】
図９は、本考案のホールポストの第３の形態を示すもので、ポスト３’が複数の筒状のポスト組み立て用ユニット部材１４’からなり、各ユニット部材１４’は、上段側のユニット部材１４’の下端開口部１４ｂ’に下段側のユニット部材１４’の上端挿入部１４ａ’を内挿する形で、上下に組み立てられるようになっている。上下のユニット部材１４’の接合部分から雨水等が内部に侵入せず、最下段に水抜き孔を設けなくてもポストの耐久性を向上させることができる。
【００３７】
かくして、本考案のグラウンド・ゴルフ競技用ホールポストによれば、固定ピンによりホールポストを地面にしっかりと固定し、また、持ち運びの際にはホールポストから固定ピンを外して持ち運びすることができるので、実用性および安全性がいずれも高く、さらに、競技の際には、外側フレームの外側に余計な構造が飛び出さないので、ボールを外側フレーム内に向けてショットする際のプレイヤーの心理的重圧をもたらさないという優れたホールポストを提供することができる。
【産業上の利用可能性】
【００３８】
本考案のグラウンド・ゴルフ競技用ホールポストは、使用時には地面にしっかりと固定でき、また、持ち運び等において安全性に優れたホールポストとして利用可能である。
【図面の簡単な説明】
【００３９】
【図１】本考案のグラウンド・ゴルフ競技用ホールポストの第１の実施形態を示すもので、ホールポストの全体斜視図、
【図２】図１のホールポストの一部を断面視した平面図、
【図３】（Ａ）は図１のホールポストの要部拡大図で、固定ピンをナットと共に地中に押し込んだ状態を示す図、（Ｂ）はナットに固定ピンを装着する様子を示す図、
【図４】図１のホールポストを要部を示す断面図、
【図５】図１のホールポストの旗を水平保持する芯材の先端を示す要部拡大図、
【図６】本考案の第２の実施形態を示すもので、ホールポストの全体斜視図、
【図７】図６のホールポストの要部拡大図で、固定ピンの取付状態を示す図、
【図８】図６のホールポストの一部を断面視した平面図、
【図９】本考案の第３の実施形態を示すもので、ポストの要部拡大断面図、
【図１０】従来のホールポストを示す斜視図である。
【符号の説明】
【００４０】
１  グラウンド・ゴルフ競技用ホールポスト
２  ホール本体
３  ポール
４  外側フレーム
５  内側フレーム
６  支持板
６ａ、１１ａ  孔
７  連結ステー
８  鈴
９  旗
１０，１０’，１３  ナット
１１，１１’  固定ピン
１１ａ，１１ａ’  頭部
１２  ボルト部材
１４，１４’  ポスト組み立て用ユニット部材
１４ａ，１４ａ’  上端開口部
１４ｂ，１４ｂ’  下端挿入部
１５  水抜き孔
１６  芯材
１６Ａ  垂直支持部
１６Ｂ  水平支持部
１６Ｃ  先端
Ｇ  地面
【図１】
0003145457.tif 000003
【図２】
0003145457.tif 000004
【図３】
0003145457.tif 000005
【図４】
0003145457.tif 000006
【図５】
0003145457.tif 000007
【図６】
0003145457.tif 000008
【図７】
0003145457.tif 000009
【図８】
0003145457.tif 000010
【図９】
0003145457.tif 000011
【図１０】
0003145457.tif 000012